(57)【特許請求の範囲】
【請求項１】
家具の変位部分のための自動開閉装置及び保持装置の集合体であって、前記自動開閉装
置は、
前記家具の前記変位部分に動作可能に接続される引き出しピン（３９，４０，４３）と
選択的に係合可能なように移動する第一カーソル（８）と、
該第一カーソル（８）と動作可能に接続される第一の弾性要素（９）と、該第一の弾性
要素（９）は、前記家具の前記変位部分の閉鎖方向に前記第一カーソル（８）を誘い込み
、
前記保持装置は、前記引き出しピン（３９，４０，４３）と選択的に係合可能なように
、ベース体（１９）上を第一滑りガイド（２０）に沿って移動する第二カーソル（２１）
と、
該第二カーソル（２１）に移動可能に接続されるとともに、前記ベース体（１９）内に
設けられた第二滑りガイド（２２）に沿って又は第三滑りガイド（２４）に沿って、選択
的に摺動可能なフック部材（２３）と、
該フック部材（２３）が係合可能であり、弾性的に緩衝可能な止め要素（２６）を備えるとともに、前記第三滑りガイド（２４）に結び付いた、ベース体（１９）内の閉鎖手段（２５）と、を備え、
前記第二滑りガイド（２２）及び第三滑りガイド（２４）は、互いに平行な縦経路を有
し、前方接続経路（３１）によって及び後方接続経路（３２）によって相互に接続され、
前記前方接続経路（３１）は、前記第二カーソル（２１）が前記第一滑りガイド（２０）の前端に行くにつれて、前記第三滑りガイド（２４）の前記縦経路から前記第二滑りガイド（２２）の前記縦経路までの前記フック部材（２３）の変位を生じさせるように形成され、
前記第二カーソル（２１）が前記第一滑りガイド（２０）の後端に行くにつれて、前記第三滑りガイド（２４）の前記縦経路は前記閉鎖手段（２５）に向かって案内され、前記フック部材（２３）は前記止め要素（２６）に係止され、前記家具の変位部分を閉鎖位置に閉鎖させる、
ことを特徴とする、家具の変位部分のための自動開閉装置及び保持装置の集合体。
【請求項２】
前記第一、第二及び第三滑りガイド（２０，２２及び２４）、並びに、前記閉鎖手段（
２５）は、前記ベース体（１９）の平壁内に設けられていることを特徴とする、請求項１
に記載の家具の変位部分のための自動開閉装置及び保持装置の集合体。
【請求項３】
前記閉鎖手段（２５）は、前記第三滑りガイド（２４）の後端に隣接した領域内に配置
されていることを特徴とする、請求項１又は２に記載の家具の変位部分のための自動開閉装置及び保持装置の集合体。
【請求項４】
第一滑りガイド（２０）は、平行な第一及び第二縦経路（３３，３４）、該第一縦経路
（３３）から前方に延びる第一横経路（３５）、及び前記第二縦経路（３４）から前方に
延びる第二横経路（３６）を備え、前記第一及び前記第二横経路（３５，３６）は、各引
き出しピン（３９及び４０）による変位ガイド部３の変位方向に対して、前記第二カーソル（２１）の第一及び第二側方変位を生じるようになっていることを特徴とする、請求項１〜３の何れかに記載の家具の変位部分のための自動開閉装置及び保持装置の集合体。
【請求項５】
前記第二カーソル（２１）は、前記第一滑りガイド（２０）の前記第一縦経路（３３）
及び前記第一横経路（３５）に沿って摺動可能な前方ガイドピン（４１）と、前記第一滑
りガイド（２０）の前記第二縦経路（３４）及び前記第二横経路（３６）に沿って摺動可
能な後方ガイドピン（４２）と、を備えることを特徴とする、請求項４に記載の家具の変位部分のための自動開閉装置及び保持装置の集合体。
【請求項６】
前記第二カーソル（２１）は、適切な中間引き出しピン（３９）及び後方引き出しピン（４０）と相互作用するのに適する遮断壁（３７，３８，４６）と、該遮断壁（３７，３８，４６）から側方にオフセットされるとともに、前記中間引き出しピン（３９）及び後方引き出しピン（４０）の一つと相互作用するようになっている隣接部（４７）と、を備えることを特徴とする、請求項１〜５の何れかに記載の家具の変位部分のための自動開閉装置及び保持装置の集合体。
【請求項７】
前記ベース体（１９）は、前記止め要素（２６）に望ましい弾性緩衝特性を付与するように、前記止め要素（２６）の周囲に延びる凹部（２７）を有することを特徴とする、請求項１に記載の家具の変位部分のための自動開閉装置及び保持装置の集合体。
【請求項８】
前記フック部材（２３）は、前記第二カーソル（２１）に対して軸支され、前記ベース
体（１９）に垂直な搖動軸を有する成形ピンを備えることを特徴とする、請求項２〜７の何れかに記載の家具の変位部分のための自動開閉装置及び保持装置の集合体。
【請求項９】
前記ベース体（１９）は、前記第一、第二及び第三滑りガイド（２０，２２及び２４）
の前方に、前記第一カーソル（８）のさらなるガイド（１０）を備え、該ガイド（１０）
は、前記ベース体（１９）から独立した要素の平壁（１７）内に設けられていることを特徴とする、請求１〜８の何れかに記載の家具の変位部分のための自動開閉装置及び保持装置の集合体。
【請求項１０】
家具であって、請求項１〜９の何れかに記載の自動開閉装置及び保持装置の集合体を
備えることを特徴とする家具。
【発明の詳細な説明】
【技術分野】
【０００１】
本発明は、家具の変位部分のための自動開閉装置用の保持装置、該保持装置を組み込む家具の変位部分のための自動開閉装置、及び該自動開閉装置を組み込む家具に関する。
【背景技術】
【０００２】
取っ手等の開閉手段のない引き出しを有する家具の分野において、引き出しを押すことによって開くこと及び自動的に閉じることができるように構成された適切な手段を備えた引き出し用のガイドの使用が知られている。
【０００３】
ガイドは、使用者が閉じた引き出し上を押すことによって、第一経路による開方向への引き出しの変位を生じさせるが、その変位は、使用者が、例えば、引き出しを完全に開くために引き出しを握るのには十分である。
【０００４】
ガイドによって生じる第一の変位経路に伴う、ガイドの正確な機能のために、使用者は、例えば、引き出しの開状態を生じさせた手段をリセットし、同時に、自動的な閉鎖を行う役割を果たす装置をリセットするのに必要な、開方向への少なくとも第二の変位経路を、引き出しに伝える必要がある。
【発明の概要】
【発明が解決しようとする課題】
【０００５】
従って、引き出しが第一経路に対して開かれ、次に、開方向への第二変位経路が完成される前に使用者によって再び閉じられる場合、自動閉鎖装置が引き出しを閉じ、そして閉じるのを維持するように動作されず、開手段は、例えば、引き出しの手動による再閉鎖さえも防ぐように作用するという重大な動作状態となる。
【０００６】
従って、本発明の技術的課題は、家具の変位部分のための自動開閉装置用の保持装置を実現し、それによって、従来技術において見られた技術的欠点を未然に防ぐことである。
【課題を解決するための手段】
【０００７】
本発明の技術的課題は、家具の変位部分のための自動開閉装置及び保持装置の集合体を
実現することによって達成され、自動開閉装置は、
家具の変位部分に動作可能に接続される引き出しピンと選択的に係合可能なように移動
する第一カーソルと、
該第一カーソルと動作可能に接続される第一の弾性要素と、該第一の弾性要素は、家具
の変位部分の閉鎖方向に第一カーソルを誘い込み、
保持装置は、引き出しピンと選択的に係合可能なように、ベース体上を第一滑りガイド
に沿って移動する第二カーソルと、
該第二カーソルに移動可能に接続されるとともに、ベース体内に設けられた第二滑りガ
イドに沿って又は第三滑りガイドに沿って、選択的に摺動可能なフック部材と、
該フック部材が係合可能であり、弾性的に緩衝可能な止め要素を備えるとともに、第三滑りガイドに結び付いた、ベース体内の閉鎖手段と、
を備え、
第二滑りガイド及び第三滑りガイドは、互いに平行な縦経路を有し、前方接続経路によって及び後方接続経路によって相互に接続され、
前方接続経路は、第二カーソルが第一滑りガイドの前端に行くにつれて、第三滑りガイドの縦経路から第二滑りガイドの縦経路までのフック部材の変位を生じさせるように形成され、
第二カーソルが第一滑りガイドの後端に行くにつれて、第三滑りガイドの縦経路は閉鎖手段に向かって案内され、フック部材は止め要素に係止され、家具の変位部分を閉鎖位置に閉鎖させる。
【０００８】
使用者が、引き出しを正しく完全に開ける場合、保持装置の介入は有利に排除される。
他方で、使用者が、引き出しを部分的にしか開けない場合、自動閉鎖装置をリセットする
ことをできないため、保持装置が介入し、引き出しが閉鎖位置に戻る時に引き出しを確実
に閉鎖する。
【０００９】
本発明は、さらに、上記自動開閉装置及び保持装置の集合体を組み込む家具に関連する。
【００１０】
本発明の他の特徴は、さらに、以下の特許請求の範囲において定義される。
【００１１】
本発明のさらなる特徴及び利点は、添付図面内の示唆的及び非制限的な例によって示される、本発明に係る家具の変位部分のための自動開閉装置用の保持装置の好ましいが排他的ではない実施形態に伴う記載からさらに明らかとなろう。
【図面の簡単な説明】
【００１２】
【図１】保持装置を組み込むガイドの斜視図を示す。
【図１ａ】保持装置を組み込むガイドの平面図を示す。
【図２】保持装置が介入することができない引き出しの閉鎖位置における自動開閉装置の概略図を示す。
【図３】使用者が引き出しを再び開けるために閉じた引き出しを押す時に達成される、図２の構成の次の構成における自動開閉装置の概略図を示す。
【図４】引き出しの開いている時に達成される、図３の構成の次の構成における自動開閉装置の概略図を示す。
【図５】保持装置のカーソルの第一の側方変位後、引き出しが開いている時に達成される、図４の構成の次の構成における自動開閉装置の概略図を示す。
【図６】保持装置のカーソルの第二の側方変位後、引き出しが開いている時に達成される、図５の構成の次の構成における自動開閉装置の概略図を示す。
【図７】保持装置のカーソルが、逆の順番で、第二の側方変位を行った後の引き出しが閉じている間に達成される、図６の構成の次の構成における自動開閉装置の概略図を示す。
【図８】保持装置のカーソルが、逆の順番で、第一の側方変位を行った後の引き出しが閉じている間に達成される、図７の構成の次の構成における自動開閉装置の概略図を示す。
【図９】引き出しがそこから保持装置の介入によって閉じられるとともに閉鎖位置に閉鎖される、引き出しの部分的に開いた位置における自動開閉装置の概略図を示す。
【図１０】フック部材が第三のガイドと係合する、引き出しが閉じている間に達成される、図９の構成の次の構成における自動開閉装置の概略図を示す。
【図１１】保持装置が閉鎖位置で引き出しを保持する、図１０の構成に続く構成における自動開閉装置の概略図を示す。
【図１２】図１１の位置における保持装置の拡大図を示す。
【図１３】保持装置のカーソルの斜視図を示す。
【図１４】フック部材の斜視図を示す。
【発明を実施するための形態】
【００１３】
図面を参照して、縦長のガイドが、家具の変位部分のために示され、全体として参照番号１によって提供されている。
【００１４】
ガイド１は、引き出しのような、家具の固定部分に適用可能な固定ガイド部２と、家具の変位部分に適用可能な変位ガイド部３と、を備える。
【００１５】
変位ガイド部３は、より長い前方引き出しピン４３と、後方引き出しピン４０と、中間引き出しピン３９と、を有し、後方引き出しピン４０及び中間引き出しピン３９はともに、前方引き出しピン４３より短い。
【００１６】
中間引き出しピン３９、後方引き出しピン４０及び前方引き出しピン４３は、相互に、強固に変位を制限され、変位ガイド部３の変位方向に配置されている。
【００１７】
ガイド１には、家具の変位部分の自動開閉用装置が設けられている。
【００１８】
自動開閉用装置は、固定ガイド部２に固定される、例えば、ピストン型の線形減速機４を備える。
【００１９】
減速機４には、例えば、らせんバネによって構成される、弾性要素６の作用によって、及び、弾性要素６に抗して、変位ガイド部３の変位方向に移動する軸５が設けられている。
【００２０】
変位ガイド部３は、軸５の頭部によって遮断される止め具７を備える。
【００２１】
自動開閉用装置は、さらに、該自動開閉用装置のベース体の平壁１７上に形成されたガイド１０に沿って、第一弾性要素９に抗して、及び、第一弾性要素９の作用によって、摺動可能な第一カーソル８を備える。
【００２２】
第一弾性要素９は、弾性要素６より固く、一端側の第一カーソル８及び固定ガイド部２上の後方位置に位置される他端側の固定部材１８に固定される、とりわけ、らせんバネを備える。
【００２３】
ガイド１０は、変位ガイド部３の略変位方向に延びるとともに、横ガイド１２の第一経路が前方に延び、横ガイド１３の第二経路が後方に延び、そして、横ガイド１４の第三経路が中間で延びる縦ガイド経路１１を備える。
【００２４】
第一カーソル８は、ガイド１０に沿って摺動可能に前方ガイドピン１５及び後方ガイドピン１６を用いて取り付けられている。
【００２５】
自動開閉装置は、第二カーソル２１のための第一滑りガイド２０と、第二カーソル２１に移動可能に接続されるとともに、ベース体１９内に設けられた第二滑りガイド２２に沿って又は第三滑りガイド２４に沿って選択的に摺動可能なフック部材２３であって、該フック部材２３を開放可能に閉鎖するために、第三滑りガイド２４に結び付いたベース体１９内の閉鎖手段２５と共働するフック部材２３のための第二滑りガイド２２と、を有する平坦なベース体１９を備える保持装置を有利に備える。
【００２６】
ベース体１９は、開閉装置のベース体の平壁１７に有利に隣接しており、一緒に一体成形で作成されるか、又は、独立した部材によって構成されることができる。
【００２７】
第三滑りガイド２４は、第二滑りガイド２２に平行に位置決めされている。
【００２８】
閉鎖手段２５は、第三滑りガイド２４の後端に隣接した領域内に配置され、弾性的に緩
衝するとともにフック部材２３が係合されることができる止め要素２６を備える。
【００２９】
ベース体１９は、望ましい弾性緩衝特性を付与するように、止め要素２６の周囲に延びる凹部２７を有する。
【００３０】
凹部２７は、ベース体１９の全厚みに亘って延びる。
【００３１】
凹部２７は、さらに、フック部材２３を止めるためにベース体１９上にさらに設けられ
た付加的な固定歯部２８から止め要素２６を分離している。
【００３２】
フック部材２３は、第二カーソル２１に対して軸支され、ベース体１９に垂直な搖動軸を有する成形ピンを備える。
【００３３】
第二滑りガイド２２及び第三滑りガイド２４は、互いに平行な長手方向（縦）経路を有し、前方接続経路３１によって及び後方接続経路３２によって相互に接続されている。縦経路は、変位ガイド部３の略変位方向に延びている。
【００３４】
第一滑りガイド２０は、互いに平行な第一縦経路３３及び第二縦経路３４、第一縦経路３３の前方に突出する第一横経路３５、及び第二縦経路３４の前方に突出するともに第一横経路３５に平行な第二横経路３６を備える。第一縦経路３３及び第二縦経路３４は、変位ガイド部３の略変位方向に延びている。
【００３５】
第一滑りガイド２０の第一縦経路３３及び第二縦経路３４は、第二滑りガイド２２及び第三滑りガイド２４の縦経路の側面に沿って主に延びているのに対して、第一滑りガイド２０の第一横経路３５及び第二横経路３６は、第二滑りガイド２２の前方まで延びている。
【００３６】
第一滑りガイド２０の第一横経路３５及び第二横経路３６は、変位ガイド部３の変位方向に対して第二カーソル２１の側方変位を生じさせるようになっている。
【００３７】
第二カーソル２１は、前方遮断壁３７、中間遮断壁３８、後方遮断壁４６、及び該後方遮断壁４６の後方に位置決めされ、前方遮断壁３７、中間遮断壁３８及び後方遮断壁４６から側方にオフセットされる隣接部４７を有する。
【００３８】
第二カーソル２１の前方遮断壁３７、中間遮断壁３８及び後方遮断壁４６は、中間引き出しピン３９及び後方引き出しピン４０と相互作用するのに適しているのに対して、隣接部４７は、第二カーソル２１のための後方引き出しピン４０と相互作用するのに適している。
【００３９】
第二カーソル２１は、さらに、第一滑りガイド２０の第一縦経路３３及び第一横経路３５に沿って摺動可能な前方ガイドピン４１と、第一滑りガイド２０の第二縦経路３４及び第二横経路３６に沿って摺動可能な後方ガイドピン４２と、を備える。
【００４０】
本発明に係る保持装置の作動は、明細書及び図面から明らかである。
【００４１】
図２〜１２において、変位ガイド部３は、中間引き出しピン３９、後方引き出しピン４０及び前方引き出しピン４３を支持する部分についてのみ太線で示されている。
【００４２】
引き出しは、最初は閉鎖位置にある。
【００４３】
ガイド１は、図１及び２に示される位置にあるものとする。
【００４４】
止め具７は、減速機４の軸５の頭部に対して位置決めされている。
【００４５】
変位ガイド部３の前方引き出しピン４３は、第一弾性要素９によってガイド１０の縦ガイド経路１１の後端で保持される第一カーソル８の凹部４４と係合している。
【００４６】
第二カーソル２１は、第一滑りガイド２０の第一縦経路３３及び第二縦経路３４の後端で位置決めされているとともに、変位ガイド部３の中間引き出しピン３９は、第二カーソル２１の前方遮断壁３７と中間遮断壁３８との間で保持されている。
【００４７】
フック部材２３は、第二滑りガイド２２の後端に位置している。
【００４８】
使用者が閉じられた引き出し上を静かに押すと、変位ガイド部３が僅かに後退して、前方引き出しピン４３が第一カーソル８を側方に変位させ、該第一カーソル８は、横ガイド１３及び横ガイド１４のガイドピン１５及び１６と係合する。
【００４９】
側方変位によって、第一カーソル８は、凹部４４から前方引き出しピン４３を開放し、弾性要素６の拡張によって、引き出しの開方向への初めの変位を許容する。
【００５０】
このステップの間、第二カーソル２１は、中間遮断壁３８に対する中間引き出しピン３９の作用によってわずかに後退して押され、フック部材２３は、第二滑りガイド２２の縦経路の後端から第三滑りガイド２４の縦経路の後端まで通過し、後方接続経路３２に沿って移動する。
【００５１】
この時点で、引き出しが完全に開く前又は後で、使用者が引き出しを閉じることを決定するかどうかによって、動作条件が異なる。
【００５２】
引き出しが閉じる前に完全に開かれる場合、その後の動作は、図２〜８に示される通りである。
【００５３】
引き出しが完全に開かれる間、使用者によって手動で行われ、第一カーソル８の特殊タブ４５は、横ガイド経路１３及び横ガイド経路１４から第一カーソル８の前方ガイドピン１５及び後方ガイドピン１６を開放する中間引き出しピン３９によって係合され、凹部４４の前方に位置される歯部と係止し、横ガイド１２内の前方ガイドピン１５の係合によって第一カーソル８に搖動を生じさせるまで、縦ガイド経路１１に沿って第一カーソル８を引く。
【００５４】
第一弾性要素９は、ガイド１０の前端で、この回転位置に設定された第一カーソル８を保持し、もう一度、凹部４４の前に位置された歯部は、側方に変位される。この位置で、中間引き出しピン３９及び後方引き出しピン４０は、また、凹部４４と係合するのに不十分な長さを示すために、第一カーソル８を越える。
【００５５】
引き出しが完全に開く経路の間、引き出しが第一横経路３５及び第二横経路３６と前方ガイドピン４１及び後方ガイドピン４２とを係合させる時、第二カーソル２１は、中間引き出しピン３９の前方遮断壁３７との係合によって、第一の側方変位を受け、その先端で、第二カーソル２１は、中間引き出しピン３９によって通過されるとともに、第一側方変位による後方引き出しピン４０の軌跡と一直線になった後方遮断壁４６との後方引き出しピン４０の係合によって、第二の側方変位を受ける。
【００５６】
第二カーソル２１の第二の側方変位の結果として、中間引き出しピン３９が縦ガイド経路１１に沿って第一カーソル８を引き、横ガイド１２内の前方ガイドピン１５と係合することによって搖動を生じさせた後にのみ生じ、フック部材２３は、第三滑りガイド２４の縦経路から第二滑りガイド２２の縦経路までの経路のために適切な形状の前方接続経路３１に沿って通過し、隣接部４７は、後方引き出しピン４０の軌跡と一直線になる。
【００５７】
引き出しが閉じる間（図７を参照のこと）、中間引き出しピン３９及び後方引き出しピン４０は、再び、凹部４４を越えるのに対して、より長い前方引き出しピン４３は、凹部４４と係合し、その位置からの第一カーソル８の開放を決定する。
【００５８】
第一弾性要素９の作用によって、第一カーソル８は、止め具７にピストン型減速機４の軸の頭部に対する衝撃を生じさせるまで変位ガイド部３を後退方向に引くが、これは、引き出しを静かにかつ徐々に閉じることを保証するための第一弾性要素９の作用と反対である。
【００５９】
さらに、引き出しを閉じる間、後方引き出しピン４０は、第二の側方変位の前に、第二カーソル２１を従前の位置に戻すように、第二カーソル２１の隣接部４７を遮断し、その結果、中間引き出しピン３９は、第二カーソル２１の中間遮断壁３８と係合し、該中間遮断壁３８を初めの位置に戻す。
【００６０】
部分的に開くことを実行する際、異なる状況が生じ、引き出しは、図６，７及び８に示される位置まで第一カーソル８を移動させるとともに、第三滑りガイド２４の縦経路から第二滑りガイド２２の縦経路まで通過するために、フック部材２３ために十分に第二カーソル２１を移動させるのに十分ではない距離に亘って引き出される。
【００６１】
この場合、引き出しが閉じる間のガイド１０の一連の構成を、図９，１０及び１１に示す。
【００６２】
引き出しが閉じ始める時、第二カーソル２１は、第一縦経路３３及び第二縦経路３４に沿って依然として位置決めされているとともに、フック部材２３は、第三滑りガイド２４の縦経路に沿って位置決めされている。
【００６３】
中間引き出しピン３９は、第二カーソル２１の前方遮断壁３７と中間遮断壁３８との間で保持されている。
【００６４】
フック部材２３が、後ろに、すなわち、前端から後端まで行くにつれて、第三滑りガイド２４の縦経路は、止め要素２６と固定要素２８との間でフック部材２３を係合させる閉鎖手段２５の傾斜面４８に向かって案内される。
【００６５】
フック部材２３は、止め要素２６に係止され、引き出しを閉鎖位置に閉鎖させる。
【００６６】
次に、閉じられた引き出しを再度開けるために、引き出しを押すと、この時点で、フック部材２３は、第三滑りガイド２４の縦経路に戻す第二傾斜面４９に向かって、そして次に、第三傾斜面５０に向かって案内される。
【００６７】
この時点で、使用者が引き出しを完全に開く場合、初めに記載された動作条件が、新たに達成されるが、今述べた動作条件は維持されていない。
【００６８】
第二の仮定シナリオにおいて、使用者が誤って動作して、押すことによってではなく、初めのけん引力によって閉じられた引き出しを開けようとする場合、止め要素２６と固定要素２８との間で係合されたフック部材２３は、止め要素２６を曲げて、係合から開放され、第三滑りガイド２４の縦経路上に戻る。
【００６９】
本明細書中に記載された家具の変位部分のための自動開閉装置用保持装置は、多くの改変及び変位を受け入れ可能であり、全てが発明概念の範囲内に含まれ、さらに、全ての詳細は、技術的に同等な要素によって置き換えられることができる。
【００７０】
実際的に、使用される材料及び寸法は、要件及び技術の状態に応じて任意である。
【図１】
0005883499.tif 000002
【図１ａ】
0005883499.tif 000003
【図２】
0005883499.tif 000004
【図３】
0005883499.tif 000005
【図４】
0005883499.tif 000006
【図５】
0005883499.tif 000007
【図６】
0005883499.tif 000008
【図７】
0005883499.tif 000009
【図８】
0005883499.tif 000010
【図９】
0005883499.tif 000011
【図１０】
0005883499.tif 000012
【図１１】
0005883499.tif 000013
【図１２】
0005883499.tif 000014
【図１３】
0005883499.tif 000015
【図１４】
0005883499.tif 000016